【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
式：
【化１】
2011514913.tif 000001
［式中、
Ｍ1は：
【化２】
2011514913.tif 000002
から選択される、場合により置換される芳香族イミドであり；
ここで：
Ｒ1は、各場合において、Ｈ、Ｃ1-40アルキル基、Ｃ2-40アルケニル基、Ｃ1-40ハロアルキル基、及び１〜４個の環状部分から独立して選択され、
ここで：
Ｃ1-40アルキル基、Ｃ2-40アルケニル基及びＣ1-40ハロアルキル基の各々は、ハロゲン、−ＣＮ、ＮＯ2、ＯＨ、−ＮＨ2、−ＮＨ（Ｃ1-20アルキル）、−Ｎ（Ｃ1-20アルキル）2、−Ｓ（Ｏ）2ＯＨ、−ＣＨＯ、−Ｃ（Ｏ）−Ｃ1-20アルキル、−Ｃ（Ｏ）ＯＨ、−Ｃ（Ｏ）−ＯＣ1-20アルキル、−Ｃ（Ｏ）ＮＨ2、−Ｃ（Ｏ）ＮＨ−Ｃ1-20アルキル、−Ｃ（Ｏ）Ｎ（Ｃ1-20アルキル）2、−ＯＣ1-20アルキル、−ＳｉＨ3、−ＳｉＨ（Ｃ1-20アルキル）2、−ＳｉＨ2（Ｃ1-20アルキル）及び−Ｓｉ（Ｃ1-20アルキル）3から独立して選択される１〜１０個の置換基で場合により置換されてよく；
Ｃ1-40アルキル基、Ｃ2-40アルケニル基及びＣ1-40ハロアルキル基の各々は、任意のリンカーを介してイミド窒素原子に共有結合してよく；且つ
１〜４個の環状部分の各々は、同一又は異なってよく、任意のリンカーを介して互いに又はイミド窒素に共有結合してよく、且つ、ハロゲン、オキソ、−ＣＮ、ＮＯ2、ＯＨ、＝Ｃ（ＣＮ）2、−ＮＨ2、−ＮＨ（Ｃ1-20アルキル）、−Ｎ（Ｃ1-20アルキル）2、−Ｓ（Ｏ）2ＯＨ、−ＣＨＯ、−Ｃ（Ｏ）ＯＨ、−Ｃ（Ｏ）−Ｃ1-20アルキル、−Ｃ（Ｏ）−ＯＣ1-20アルキル、−Ｃ（Ｏ）ＮＨ2、−Ｃ（Ｏ）ＮＨ−Ｃ1-20アルキル、−Ｃ（Ｏ）Ｎ（Ｃ1-20アルキル）2、−ＳｉＨ3、−ＳｉＨ（Ｃ1-20アルキル）2、−ＳｉＨ2（Ｃ1-20アルキル）、−Ｓｉ（Ｃ1-20アルキル）3、−Ｏ−Ｃ1-20アルキル、−Ｏ−Ｃ1-20アルケニル、−Ｏ−Ｃ1-20ハロアルキル、Ｃ1-20アルキル基、Ｃ1-20アルケニル基及びＣ1-20ハロアルキル基から独立して選択される１〜５個の置換基で場合により置換されてよく；且つ
π−１及びπ−１’は：
【化３】
2011514913.tif 000003
［式中、ａoは０又は１である］から選択される、場合により置換される縮合環部分であり、
Ｍ2は、場合により置換される、１個以上の多環状部分を含む反復単位であり、且つ
【化４】
2011514913.tif 000004
［式中、π−２は、各場合において、独立して、場合により置換された多環状部分であってよく；及び
Ｚは、各場合において、独立して、直鎖状共役リンカーである］から選択される式を有し；
ｎは、２〜５，０００の間の整数であり、
ここで、π−２は約−２．２Ｖ以上の還元電位を有し；
ただし、ポリマーは、式：
【化５】
2011514913.tif 000005
の反復単位を有さない］のポリマー。
【請求項２】
Ｍ1が：
【化６】
2011514913.tif 000006
［式中、Ｒ1は、請求項１に定義される通りである］から選択される、場合により置換される芳香族イミドである、請求項１に記載のポリマー。
【請求項３】
π−１、π−１’、及びπ−２の各々が、独立して、１〜６個のＲa基で場合により置換され；ここで：
Ｒaは、各場合において、ａ）ハロゲン、ｂ）−ＣＮ、ｃ）−ＮＯ2、ｄ）オキソ、ｅ）−ＯＨ、ｆ）＝Ｃ（Ｒb）2、ｇ）Ｃ1-40アルキル基、ｈ）Ｃ2-40アルケニル基、ｉ）Ｃ2-40アルキニル基、ｊ）Ｃ1-40アルコキシ基、ｋ）Ｃ1-40アルキルチオ基、ｌ）Ｃ1-40ハロアルキル基、ｍ）−Ｙ−Ｃ3-10シクロアルキル基、ｎ）−Ｙ−Ｃ6-14アリール基、ｏ）−Ｙ−Ｃ6-14ハロアリール基、ｐ）−Ｙ−３〜１２員環シクロヘテロアルキル基、又はｑ）−Ｙ−５〜１４員環ヘテロアリール基であり、ここでＣ1-40アルキル基、Ｃ2-40アルケニル基、Ｃ2-40アルキニル基、Ｃ3-10シクロアルキル基、Ｃ6-14アリール基、Ｃ6-14ハロアリール基、３〜１２員環シクロヘテロアルキル基及び５〜１４員環ヘテロアリール基の各々は、１〜４個のＲb基で場合により置換され；
Ｒbは、各場合において、ａ）ハロゲン、ｂ）−ＣＮ、ｃ）−ＮＯ2、ｄ）オキソ、ｅ）−ＯＨ、ｆ）−ＮＨ2、ｇ）−ＮＨ（Ｃ1-20アルキル）、ｈ）−Ｎ（Ｃ1-20アルキル）2、ｉ）−Ｎ（Ｃ1-20アルキル）−Ｃ6-14アリール、ｊ）−Ｎ（Ｃ6-14アリール）2、ｋ）−Ｓ（Ｏ）mＨ、ｌ）−Ｓ（Ｏ）m−Ｃ1-20アルキル、ｍ）−Ｓ（Ｏ）2ＯＨ、ｎ）−Ｓ（Ｏ）m−ＯＣ1-20アルキル、ｏ）−Ｓ（Ｏ）m−ＯＣ6-14アリール、ｐ）−ＣＨＯ、ｑ）−Ｃ（Ｏ）−Ｃ1-20アルキル、ｒ）−Ｃ（Ｏ）−Ｃ6-14アリール、ｓ）−Ｃ（Ｏ）ＯＨ、ｔ）−Ｃ（Ｏ）−ＯＣ1-20アルキル、ｕ）−Ｃ（Ｏ）−ＯＣ6-14アリール、ｖ）−Ｃ（Ｏ）ＮＨ2、ｗ）−Ｃ（Ｏ）ＮＨ−Ｃ1-20アルキル、ｘ）−Ｃ（Ｏ）Ｎ（Ｃ1-20アルキル）2、ｙ）−Ｃ（Ｏ）ＮＨ−Ｃ6-14アリール、ｚ）−Ｃ（Ｏ）Ｎ（Ｃ1-20アルキル）−Ｃ6-14アリール、ａａ）−Ｃ（Ｏ）Ｎ（Ｃ6-14アリール）2、ａｂ）−Ｃ（Ｓ）ＮＨ2、ａｃ）−Ｃ（Ｓ）ＮＨ−Ｃ1-20アルキル、ａｄ）−Ｃ（Ｓ）Ｎ（Ｃ1-20アルキル）2、ａｅ）−Ｃ（Ｓ）Ｎ（Ｃ6-14アリール）2、ａｆ）−Ｃ（Ｓ）Ｎ（Ｃ1-20アルキル）−Ｃ6-14アリール、ａｇ）−Ｃ（Ｓ）ＮＨ−Ｃ6-14アリール、ａｈ）−Ｓ（Ｏ）mＮＨ2、ａｉ）−Ｓ（Ｏ）mＮＨ（Ｃ1-20アルキル）、ａｊ）−Ｓ（Ｏ）mＮ（Ｃ1-20アルキル）2、ａｋ）−Ｓ（Ｏ）mＮＨ（Ｃ6-14アリール）、ａｌ）−Ｓ（Ｏ）mＮ（Ｃ1-20アルキル）−Ｃ6-14アリール、ａｍ）−Ｓ（Ｏ）mＮ（Ｃ6-14アリール）2、ａｎ）−ＳｉＨ3、ａｏ）−ＳｉＨ（Ｃ1-20アルキル）2、ａｐ）−ＳｉＨ2（Ｃ1-20アルキル）、ａｑ）−Ｓｉ（Ｃ1-20アルキル）3、ａｒ）Ｃ1-20アルキル基、ａｓ）Ｃ2-20アルケニル基、ａｔ）Ｃ2-20アルキニル基、ａｕ）Ｃ1-20アルコキシ基、ａｖ）Ｃ1-20アルキルチオ基、ａｗ）Ｃ1-20ハロアルキル基、ａｘ）Ｃ3-10シクロアルキル基、ａｙ）Ｃ6-14アリール基、ａｚ）Ｃ6-14ハロアリール基、ｂａ）３〜１２員環シクロヘテロアルキル基、又はｂｂ）５〜１４員環ヘテロアリール基であり；
Ｙは、各場合において、二価のＣ1-20アルキル基、二価のＣ1-20ハロアルキル基及び共有結合であり；且つ
ｍは、各場合において、０、１、又は２であり、
且つ
Ｒ1が、各場合において、Ｈ、Ｃ1-40アルキル基、Ｃ2-40アルケニル基、Ｃ1-40ハロアルキル基、−Ｌ−Ａｒ1、−Ｌ−Ａｒ1−Ａｒ1、−Ｌ−Ａｒ1−Ｒ2、−Ｌ−Ａｒ1−Ａｒ1−Ｒ2、−Ｌ−Ｃｙ1、−Ｌ−Ｃｙ1−Ｃｙ1、−Ｌ−Ｃｙ1−Ｒ2及び−Ｌ−Ｃｙ1−Ｃｙ1−Ｒ2から独立して選択され；
ここで：
Ｌは、各場合において、−Ｙ−Ｏ−Ｙ−、−Ｙ−［Ｓ（Ｏ）m］−Ｙ−、−Ｙ−Ｃ（Ｏ）−Ｙ−、−Ｙ−［ＮＲcＣ（Ｏ）］−Ｙ−、−Ｙ−［Ｃ（Ｏ）ＮＲc］−、−Ｙ−ＮＲc−、−Ｙ−［ＳｉＲc2］−Ｙ−、二価のＣ1-20アルキル基、二価のＣ1-20アルケニル基、二価のＣ1-20ハロアルキル基及び共有結合から独立して選択され；
ここで：
Ｒcは、各場合において、独立してＨ、Ｃ1-6アルキル基、又は−Ｙ−Ｃ6-14アリール基であり；
Ａｒ1は、各場合において、独立して一価又は二価のＣ6-14アリール基又は５〜１４員環ヘテロアリール基であり、各々は、ハロゲン、−ＣＮ、オキソ、＝Ｃ（ＣＮ）2、Ｃ1-6アルキル基、Ｃ1-6アルコキシ基及びＣ1-6ハロアルキル基から独立して選択される１〜５個の置換基で場合により置換され；
Ｃｙ1は、各場合において、独立して一価又は二価のＣ3-14シクロアルキル基又は３〜１４員環シクロヘテロアルキル基であり、各々は、ハロゲン、−ＣＮ、オキソ、＝Ｃ（ＣＮ）2、Ｃ1-6アルキル基、Ｃ1-6アルコキシ基及びＣ1-6ハロアルキル基から独立して選択される１〜５個の置換基で場合により置換され；及び
Ｒ2は、各場合において、Ｃ1-40アルキル基、Ｃ2-40アルケニル基、Ｃ1-40ハロアルキル基、Ｃ1-40アルコキシ基、−Ｌ’−Ａｒ2、−Ｌ’−Ａｒ2−Ａｒ2、−Ｌ’−Ａｒ2−Ｒ3、−Ｌ’−Ａｒ2−Ａｒ2−Ｒ3、−Ｌ’−Ｃｙ2、−Ｌ’−Ｃｙ2−Ｃｙ2、−Ｌ’−Ｃｙ2−Ｒ3、−Ｌ’−Ｃｙ2−Ｃｙ2−Ｒ3から独立して選択され；
ここで：
Ｌ’は、各場合において、−Ｙ−Ｏ−Ｙ−、−Ｙ−［Ｓ（Ｏ）m］−Ｙ−、−Ｙ−Ｃ（Ｏ）−Ｙ−、−Ｙ−［ＮＲcＣ（Ｏ）］−Ｙ−、−Ｙ−［Ｃ（Ｏ）ＮＲc］−、−Ｙ−ＮＲc−、−Ｙ−［ＳｉＲc2］−Ｙ−、二価のＣ1-20アルキル基、二価のＣ1-20アルケニル基、二価のＣ1-20ハロアルキル基及び共有結合から独立して選択され；
Ａｒ2は、各場合において、独立して一価又は二価のＣ6-14アリール基又は５〜１４員環ヘテロアリール基であり、各々は、ハロゲン、オキソ、−ＣＮ、＝Ｃ（ＣＮ）2、Ｃ1-6アルキル基、Ｃ1-6アルコキシ基及びＣ1-6ハロアルキル基から独立して選択される１〜５個の置換基で場合により置換され；
Ｃｙ2は、各場合において、独立して一価又は二価のＣ3-14シクロアルキル基又は３〜１４員環シクロヘテロアルキル基であり、各々は、ハロゲン、オキソ、−ＣＮ、＝Ｃ（ＣＮ）2、Ｃ1-6アルキル基、Ｃ1-6アルコキシ基及びＣ1-6ハロアルキル基から独立して選択される１〜５個の置換基で場合により置換され；
Ｒ3は、各場合において、Ｃ1-40アルキル基、Ｃ2-40アルケニル基、Ｃ1-40ハロアルキル基又はＣ1-40アルコキシ基であり；
Ｙは、各場合において、二価のＣ1-20アルキル基、二価のＣ1-20ハロアルキル基又は共有結合であり；且つ
ｍは、各場合において、０、１又は２である、請求項１又は２に記載のポリマー。
【請求項４】
式：
【化７】
2011514913.tif 000007
［式中、ｎは、５〜１，０００の間の整数であり；ｘは、実数及び０＜ｘ≦１であり；且つπ−２及びＲ1は、請求項１で定義される通りである］を有する、請求項１〜３のいずれか１項に記載のポリマー。
【請求項５】
Ｒ1が、ｎ−ヘキシル基、１−メチルプロピル基、１−メチルブチル基、１−メチルペンチル基、１−メチルヘキシル基、１−エチルプロピル基、１−エチルブチル基、１−３，ジメチルブチル基及び２−オクチルドデシル基から選択される直鎖状又は分枝鎖状Ｃ3-40アルキル基であるか、又は
Ｒ1が：
【化８】
2011514913.tif 000008
から選択される、請求項１〜４のいずれか１項に記載のポリマー。
【請求項６】
π−２が：
【化９】
2011514913.tif 000009
［式中：
ｋ、ｋ’、ｌ及びｌ’は、−ＣＲd＝、＝ＣＲd−、−Ｃ（Ｏ）−及び−Ｃ（Ｃ（ＣＮ）2）−から独立して選択され；
ｐ、ｐ’、ｑ及びｑ’は、−ＣＲd＝、＝ＣＲd−、−Ｃ（Ｏ）−、−Ｃ（Ｃ（ＣＮ）2）−、−Ｏ−、−Ｓ−、−Ｎ＝、＝Ｎ−、−Ｎ（Ｒd）−、−ＳｉＲd＝、＝ＳｉＲd−及び−ＳｉＲdＲd−から独立して選択され；
ｒ及びｓは、独立して−ＣＲdＲd−又は−Ｃ（Ｃ（ＣＮ）2）−であり；
ｕ、ｕ’ｖ及びｖ’は、−ＣＲd＝、＝ＣＲd−、−Ｃ（Ｏ）−、−Ｃ（Ｃ（ＣＮ）2）−、−Ｓ−、−Ｓ（Ｏ）−、−Ｓ（Ｏ）2−、−Ｏ−、−Ｎ＝、＝Ｎ−、−ＳｉＲd＝、＝ＳｉＲd−、−ＳｉＲdＲd−、−ＣＲdＲd−ＣＲdＲd−及び−ＣＲd＝ＣＲd−から独立して選択され；及び
Ｒdは、各場合において、独立してＨ又はＲaであり、且つＲaは、請求項３に定義される通りである］から選択される、請求項３〜５のいずれか１項に記載のポリマー。
【請求項７】
π−２が：
【化１０】
2011514913.tif 000010
［式中、Ｒdは、各場合において、独立してＨ又はＲaであり；且つＲaは、請求項３で定義される通りである］から選択される、請求項３〜６のいずれか１項に記載のポリマー。
【請求項８】
π−２が、スピロ原子を含む又はオキソ基及びジシアノビニリデニル基から選択される１〜４個の基で置換される多環状部分である、請求項１〜７のいずれか１項に記載のポリマー。
【請求項９】
前記ポリマーが、
【化１１】
2011514913.tif 000011
［式中、Ｒ1及びｎは、請求項１で定義される通りである］から選択されるか、又は
【化１２】
2011514913.tif 000012
［式中、Ｒ1及びｎは、請求項１で定義される通りである］から選択されるか、又は
【化１３】
2011514913.tif 000013
［式中、Ｒ1及びｎは、請求項１で定義される通りである］から選択されるか、又は
【化１４】
2011514913.tif 000014
［式中、Ｒ1及びｎは、請求項１で定義される通りである］から選択される、請求項１に記載のポリマー。
【請求項１０】
式Ｉ又は式Ｉ’：
【化１５】
2011514913.tif 000015
［式中：
π−１及びπ−１’は、独立して、場合により１〜４個のＲa基で置換される環状部分であり；
π−２は、−２．６Ｖより高い還元電位、特に１．２Ｖ以上の還元電位を有し、且つ、場合により１〜６個のＲa基で置換されるπ共役部分であり；ここで：
Ｒaは、各場合において、ａ）ハロゲン、ｂ）−ＣＮ、ｃ）−ＮＯ2、ｄ）オキソ、ｅ）−ＯＨ、ｆ）＝Ｃ（Ｒb）2、ｇ）Ｃ1-40アルキル基、ｈ）Ｃ2-40アルケニル基、ｉ）Ｃ2-40アルキニル基、ｊ）Ｃ1-40アルコキシ基、ｋ）Ｃ1-40アルキルチオ基、ｌ）Ｃ1-40ハロアルキル基、ｍ）−Ｙ−Ｃ3-10シクロアルキル基、ｎ）−Ｙ−Ｃ6-14アリール基、ｏ）−Ｙ−Ｃ6-14ハロアリール基、ｐ）−Ｙ−３〜１２員環シクロヘテロアルキル基、又はｑ）−Ｙ−５〜１４員環ヘテロアリール基であり、ここでＣ1-40アルキル基、Ｃ2-40アルケニル基、Ｃ2-40アルキニル基、Ｃ3-10シクロアルキル基、Ｃ6-14アリール基、Ｃ6-14ハロアリール基、３〜１２員環シクロヘテロアルキル基及び５〜１４員環ヘテロアリール基の各々は、１〜４個のＲb基で場合により置換され；
Ｒbは、各場合において、ａ）ハロゲン、ｂ）−ＣＮ、ｃ）−ＮＯ2、ｄ）オキソ、ｅ）−ＯＨ、ｆ）−ＮＨ2、ｇ）−ＮＨ（Ｃ1-20アルキル）、ｈ）−Ｎ（Ｃ1-20アルキル）2、ｉ）−Ｎ（Ｃ1-20アルキル）−Ｃ6-14アリール、ｊ）−Ｎ（Ｃ6-14アリール）2、ｋ）−Ｓ（Ｏ）mＨ、ｌ）−Ｓ（Ｏ）m−Ｃ1-20アルキル、ｍ）−Ｓ（Ｏ）2ＯＨ、ｎ）−Ｓ（Ｏ）m−ＯＣ1-20アルキル、ｏ）−Ｓ（Ｏ）m−ＯＣ6-14アリール、ｐ）−ＣＨＯ、ｑ）−Ｃ（Ｏ）−Ｃ1-20アルキル、ｒ）−Ｃ（Ｏ）−Ｃ6-14アリール、ｓ）−Ｃ（Ｏ）ＯＨ、ｔ）−Ｃ（Ｏ）−ＯＣ1-20アルキル、ｕ）−Ｃ（Ｏ）−ＯＣ6-14アリール、ｖ）−Ｃ（Ｏ）ＮＨ2、ｗ）−Ｃ（Ｏ）ＮＨ−Ｃ1-20アルキル、ｘ）−Ｃ（Ｏ）Ｎ（Ｃ1-20アルキル）2、ｙ）−Ｃ（Ｏ）ＮＨ−Ｃ6-14アリール、ｚ）−Ｃ（Ｏ）Ｎ（Ｃ1-20アルキル）−Ｃ6-14アリール、ａａ）−Ｃ（Ｏ）Ｎ（Ｃ6-14アリール）2、ａｂ）−Ｃ（Ｓ）ＮＨ2、ａｃ）−Ｃ（Ｓ）ＮＨ−Ｃ1-20アルキル、ａｄ）−Ｃ（Ｓ）Ｎ（Ｃ1-20アルキル）2、ａｅ）−Ｃ（Ｓ）Ｎ（Ｃ6-14アリール）2、ａｆ）−Ｃ（Ｓ）Ｎ（Ｃ1-20アルキル）−Ｃ6-14アリール、ａｇ）−Ｃ（Ｓ）ＮＨ−Ｃ6-14アリール、ａｈ）−Ｓ（Ｏ）mＮＨ2、ａｉ）−Ｓ（Ｏ）mＮＨ（Ｃ1-20アルキル）、ａｊ）−Ｓ（Ｏ）mＮ（Ｃ1-20アルキル）2、ａｋ）−Ｓ（Ｏ）mＮＨ（Ｃ6-14アリール）、ａｌ）−Ｓ（Ｏ）mＮ（Ｃ1-20アルキル）−Ｃ6-14アリール、ａｍ）−Ｓ（Ｏ）mＮ（Ｃ6-14アリール）2、ａｎ）−ＳｉＨ3、ａｏ）−ＳｉＨ（Ｃ1-20アルキル）2、ａｐ）−ＳｉＨ2（Ｃ1-20アルキル）、ａｑ）−Ｓｉ（Ｃ1-20アルキル）3、ａｒ）Ｃ1-20アルキル基、ａｓ）Ｃ2-20アルケニル基、ａｔ）Ｃ2-20アルキニル基、ａｕ）Ｃ1-20アルコキシ基、ａｖ）Ｃ1-20アルキルチオ基、ａｗ）Ｃ1-20ハロアルキル基、ａｘ）Ｃ3-10シクロアルキル基、ａｙ）Ｃ6-14アリール基、ａｚ）Ｃ6-14ハロアリール基、ｂａ）３〜１２員環シクロヘテロアルキル基、又はｂｂ）５〜１４員環ヘテロアリール基であり；
Ｙは、各場合において、二価のＣ1-20アルキル基、二価のＣ1-20ハロアルキル基及び共有結合であり；且つ
ｍは、各場合において、０、１、又は２であり；
Ｒ1は、各場合において、Ｈ、Ｃ1-40アルキル基、Ｃ2-40アルケニル基、Ｃ1-40ハロアルキル基、−Ｌ−Ａｒ1、−Ｌ−Ａｒ1−Ａｒ1、−Ｌ−Ａｒ1−Ｒ2、−Ｌ−Ａｒ1−Ａｒ1−Ｒ2、−Ｌ−Ｃｙ1、−Ｌ−Ｃｙ1−Ｃｙ1、−Ｌ−Ｃｙ1−Ｒ2及び−Ｌ−Ｃｙ1−Ｃｙ1−Ｒ2から独立して選択され；
ここで：
Ｌは、各場合において、−Ｙ−Ｏ−Ｙ−、−Ｙ−［Ｓ（Ｏ）m］−Ｙ−、−Ｙ−Ｃ（Ｏ）−Ｙ−、−Ｙ−［ＮＲcＣ（Ｏ）］−Ｙ−、−Ｙ−［Ｃ（Ｏ）ＮＲc］−、−Ｙ−ＮＲc−、−Ｙ−［ＳｉＲc2］−Ｙ−、二価のＣ1-20アルキル基、二価のＣ1-20アルケニル基、二価のＣ1-20ハロアルキル基及び共有結合から独立して選択され；
ここで：
Ｒcは、各場合において、独立してＨ、Ｃ1-6アルキル基、又は−Ｙ−Ｃ6-14アリール基であり；
Ａｒ1は、各場合において、独立して一価又は二価のＣ6-14アリール基又は５〜１４員環ヘテロアリール基であり、各々は、ハロゲン、−ＣＮ、オキソ、＝Ｃ（ＣＮ）2、Ｃ1-6アルキル基、Ｃ1-6アルコキシ基及びＣ1-6ハロアルキル基から独立して選択される１〜５個の置換基で場合により置換され；
Ｃｙ1は、各場合において、独立して一価又は二価のＣ3-14シクロアルキル基又は３〜１４員環シクロヘテロアルキル基であり、各々は、ハロゲン、−ＣＮ、オキソ、＝Ｃ（ＣＮ）2、Ｃ1-6アルキル基、Ｃ1-6アルコキシ基及びＣ1-6ハロアルキル基から独立して選択される１〜５個の置換基で場合により置換され；
Ｒ2は、各場合において、Ｃ1-40アルキル基、Ｃ2-40アルケニル基、Ｃ1-40ハロアルキル基、Ｃ1-40アルコキシ基、−Ｌ’−Ａｒ2、−Ｌ’−Ａｒ2−Ａｒ2、−Ｌ’−Ａｒ2−Ｒ3、−Ｌ’−Ａｒ2−Ａｒ2−Ｒ3、−Ｌ’−Ｃｙ2、−Ｌ’−Ｃｙ2−Ｃｙ2、−Ｌ’−Ｃｙ2−Ｒ3、−Ｌ’−Ｃｙ2−Ｃｙ2−Ｒ3から独立して選択され；
ここで：
Ｌ’は、各場合において、−Ｙ−Ｏ−Ｙ−、−Ｙ−［Ｓ（Ｏ）m］−Ｙ−、−Ｙ−Ｃ（Ｏ）−Ｙ−、−Ｙ−［ＮＲcＣ（Ｏ）］−Ｙ−、−Ｙ−［Ｃ（Ｏ）ＮＲc］−、−Ｙ−ＮＲc−、−Ｙ−［ＳｉＲc2］−Ｙ−、二価のＣ1-20アルキル基、二価のＣ1-20アルケニル基、二価のＣ1-20ハロアルキル基及び共有結合から独立して選択され；
Ａｒ2は、各場合において、独立して一価又は二価のＣ6-14アリール基又は５〜１４員環ヘテロアリール基であり、各々は、ハロゲン、オキソ、−ＣＮ、＝Ｃ（ＣＮ）2、Ｃ1-6アルキル基、Ｃ1-6アルコキシ基及びＣ1-6ハロアルキル基から独立して選択される１〜５個の置換基で場合により置換され；
Ｃｙ2は、各場合において、独立して一価又は二価のＣ3-14シクロアルキル基又は３〜１４員環シクロヘテロアルキル基であり、各々は、ハロゲン、オキソ、−ＣＮ、＝Ｃ（ＣＮ）2、Ｃ1-6アルキル基、Ｃ1-6アルコキシ基及びＣ1-6ハロアルキル基から独立して選択される１〜５個の置換基で場合により置換され；
Ｒ3は、各場合において、Ｃ1-40アルキル基、Ｃ2-40アルケニル基、Ｃ1-40ハロアルキル基又はＣ1-40アルコキシ基であり；且つ
ｎは、２〜５，０００の間の整数である］を有するポリマー。
【請求項１１】
請求項１〜１０のいずれか１項に記載の１種以上のポリマーを含む、電子素子、光学素子及び光電子素子からなる群から選択される製品。
【請求項１２】
前記製品が、請求項１〜１０のいずれか１項に記載の１種以上のポリマーを含む、薄膜半導体である、請求項１１記載の製品。
【請求項１３】
前記製品が、請求項１２に記載の薄膜半導体を含む電界効果トランジスタ素子である、請求項１１記載の製品。
【請求項１４】
前記製品が、請求項１２に記載の薄膜半導体を含む光起電力素子である、請求項１１記載の製品。
【請求項１５】
前記製品が、請求項１２に記載の薄膜半導体を含む有機発光素子である、請求項１１記載の製品。